(57)【特許請求の範囲】
【請求項１】
限位手段とされ、開孔を具え、該開孔の一端に結合部が設けてあり、着脱可能な方式でごみ箱本体の開放端に結合された、上記限位手段と、
閉合手段とされ、上述の結合部に対応する枢接部を具え、これにより該閉合手段が上述の結合部に枢接され、且つ限位手段と相対枢転関係を発生することができる、上記閉合手段と、
スローダウン装置とされ、第１端と第２端を具え、該第１端と第２端が減速し且つ弾性を具えた相対回転関係を発生し、その第１端は限位手段の結合部に結合され、第２端は閉合手段の枢接部に結合された、上記スローダウン装置と、
を具え、閉合手段と限位手段が相対枢転関係を発生する時、スローダウン装置の作用により閉合手段が低騒音の減速揺動を達成するごみ箱の蓋の枢接構造において、
上記スローダウン装置は、
第１端の内管と、第２端の外管及び一つの弾性体を具え、該内管と外管の一端が封閉端とされ、並びに該封閉端の外縁にそれぞれ一つの係止突起が設けられ、内管と外管の封閉端の内面にいずれも一つの挟持柱が設けてあり、
前記弾性体の両末端がそれぞれ内管と外管の封閉端内面の挟持柱に制限されており、
内管と外管の接触面間にダンパオイルが塗布され、これにより内管と外管が相対回転関係を発生する時に停滞緩衝の機能を有し、
蓋片が前記閉合手段の枢接部に結合されて前記外管を覆う構成としたことを特徴とするごみ箱の蓋の枢接構造。
【請求項２】
請求項１に記載のごみ箱の蓋の枢接構造において、
前記限位手段は、
その結合部の両側壁にそれぞれ横向きに一つの枢接孔が設けられ、該結合部の所定の位置に、縦向き係止溝を具えた二つの凸塊が設けられ、且つ、該結合部に対向する別端に挿入孔が設けられた構成であり、
前記閉合手段は、
第１端及び第２端を具え、
該第１端の両側壁にそれぞれ一つの枢接柱が設けられ、
該第１端の底面中央に前記枢接部が設けられ、該枢接部は係止溝を具えた構成であり、
該第２端の底面にフックが設けられた構成であり、
上記スローダウン装置の封閉端の一方の外縁の一つの係止突起が、前記限位手段の凸塊の縦向き係止溝と係止され、
上記スローダウン装置の封閉端の他方の外縁の一つの係止突起が、上記閉合手段の上記枢接部の上記係止溝と係止され、
且つ、前記閉合手段の前記枢接柱が上記限位手段の結合部に対向する別端に挿入孔に通されている構成としたことを特徴とするごみ箱の蓋の枢接構造。
【請求項３】
請求項１又は２に記載のごみ箱の蓋の枢接構造において、
前記限位手段は、ごみ箱本体の開放端に該ごみ箱本体と一体成形してある構成としたことを特徴とするごみ箱の蓋の枢接構造。
【発明の詳細な説明】
【０００１】
【発明の属する技術分野】
本発明は一種のごみ箱に係り、特に一種のごみ箱の蓋の枢接構造に関する。
【０００２】
【従来の技術】
周知の枢接された蓋を具えたゴミ箱の、蓋と本体の間の枢接構造は、蓋の開放、閉合の過程で、勢いが余って衝突する音が響いたり、或いはごみ箱本体と蓋の振動を形成し、これについて業者は未だ研究開発の重点としていない。ペダル式ごみ箱では、開けた蓋を閉合する時に、ごみ箱本体の上縁と衝突し、相当大きな騒音を発生し、特に近年販売率が高度に成長しているステンレスごみ箱は、その発生する音のデシベルが更に高く、このため毎日の生活環境ですでに高いデシベルの騒音に囲まれている現代人にとって、心身の負担とストレスを増大した。問題は蓋を閉める勢いがつきすぎる状況であり、タッチオープン式のごみ箱はこのほか一種類の型式が出現し、図７、８に示されるように、タッチオープン式ごみ箱は、その本体２と蓋３の前縁の対応部分にタッチスイッチが設けられ、該タッチスイッチが係止ヘッド４と結合シートで組成され、蓋３の後端と本体２の枢接位置に、少なくとも一つの回復バネ６が設けられ、該回復バネ６が、蓋３が本体２に閉合される時、圧縮状態を呈し、これにより、タッチスイッチの係止ヘッド４と結合シート５が押圧を受けて分離する時、蓋３が回復ばね６の弾力を受けて上向きに開く。しかし、蓋３が起き上がっても完全に回復バネ６の発生する力を使い果たせないため、蓋３が最大角度に開いた後に反復振動し、それが激烈な場合は本体２も一緒に振動する状況が発生した。このため周知の枢接された蓋を具えたごみ箱の蓋の枢接構造は、起き上がり或いは閉合の力を緩衝する設計が必要であり、このような周知のごみ箱の発生する数々の欠点は、研究改良される必要があった。
【０００３】
【発明が解決しようとする課題】
本発明は一種のごみ箱の蓋の枢接構造を提供することを目的とし、それは、スローダウン装置の第１端即ち内管が限位手段に係止され、該スローダウン装置の第２端即ち外管が閉合手段に係止され、ゆえに閉合手段が外力の作用を受けて起き上がるか或いは閉合される時、該外管が閉合手段に伴い内管と相対回転関係を発生し、且つ弾性体の両末端が内管、外管の挟持柱に制限され、ゆえに弾性体がねじれて変形しエネルギーを蓄積し、閉合手段に対する外力が除去された時、スローダウン装置が弾性体が蓄積したエネルギーにより閉合手段をもとの位置に回復させ、且つスローダウン装置の内管と外管が相対回転関係を発生する時、内管と外管の間の接触面に塗布されたダンパオイルが停滞緩衝効果を提供し、閉合手段の開放或いは閉合動作に減速揺動を現出させ、振動せず低騒音の効果を達成し、極めて産業上の利用性と進歩性を有する設計を有するものとする。
【０００４】
【課題を解決するための手段】
請求項１の発明は、ごみ箱の蓋の枢接構造において、
限位手段とされ、開孔を具え、該開孔の一端に結合部が設けられた、上記限位手段と、
閉合手段とされ、上述の結合部に対応する枢接部を具え、これにより該閉合手段が上述の結合部に枢接され、且つ限位手段と相対枢転関係を発生することができる、上記閉合手段と、
スローダウン装置とされ、第１端と第２端を具え、該第１端と第２端が減速し且つ弾性を具えた相対回転関係を発生し、その第１端は限位手段の結合部に結合され、第２端は閉合手段の枢接部に結合された、上記スローダウン装置と、
を具え、閉合手段と限位手段が相対枢転関係を発生する時、スローダウン装置の作用により閉合手段が低騒音の減速揺動を達成することを特徴とする、ごみ箱の蓋の枢接構造としている。
請求項２の発明は、ごみ箱の蓋の枢接構造において、
ごみ箱本体とされ、該ごみ箱本体が開放端を具え、該開放端の一端に結合部が設けられた、上記ごみ箱本体と、
閉合手段とされ、上述の結合部に対応する枢接部を具え、これにより該閉合手段が上述の結合部に枢接され、且つごみ箱本体と相対枢転関係を発生することができる、上記閉合手段と、
スローダウン装置とされ、第１端と第２端を具え、該第１端と第２端が減速し且つ弾性を具えた相対回転関係を発生し、その第１端は限位手段の結合部に結合され、第２端は閉合手段の枢接部に結合された、上記スローダウン装置と、
を具え、閉合手段とごみ箱本体が相対枢転関係を発生する時、スローダウン装置の作用により閉合手段が低騒音の減速揺動を達成することを特徴とする、ごみ箱の蓋の枢接構造としている。
請求項３の発明は、請求項１に記載のごみ箱の蓋の枢接構造において、限位手段が着脱可能な方式でごみ箱本体の開放端に結合されたことを特徴とする、ごみ箱の蓋の枢接構造としている。
請求項４の発明は、請求項１に記載のごみ箱の蓋の枢接構造において、限位手段の結合部の両側壁にそれぞれ横向きに一つの枢接孔が設けられ、該結合部の所定の位置に、縦向き係止溝を具えた二つの凸塊が設けられたことを特徴とする、ごみ箱の蓋の枢接構造としている。
請求項５の発明は、請求項１に記載のごみ箱の蓋の枢接構造において、限位手段の開孔の、結合部に対向する別端に挿入孔が設けられたことを特徴とする、ごみ箱の蓋の枢接構造としている。
請求項６の発明は、請求項１又は請求項２に記載のごみ箱の蓋の枢接構造において、閉合手段が第１端及び第２端を具え、該閉合手段の第１端の両側壁にそれぞれ一つの枢接柱が設けられ、且つ該閉合手段の第１端の底面中央に係止溝を具えた枢接部が設けられたことを特徴とする、ごみ箱の蓋の枢接構造としている。請求項７の発明は、請求項６に記載のごみ箱の蓋の枢接構造において、閉合手段の第２端の底面にフックが設けられたことを特徴とする、ごみ箱の蓋の枢接構造としている。
請求項８の発明は、請求項１又は請求項２に記載のごみ箱の蓋の枢接構造において、スローダウン装置が第１端の内管と、第２端の外管及び一つの弾性体を具え、該内管と外管の一端が封閉端とされ、並びに該封閉端の外縁にそれぞれ一つの係止突起が設けられ、内管と外管の封閉端の内面にいずれも一つの挟持柱が設けられたことを特徴とする、ごみ箱の蓋の枢接構造としている。
請求項９の発明は、請求項８に記載のごみ箱の蓋の枢接構造において、弾性体の両末端がそれぞれ内管と外管の封閉端内面の挟持柱に制限されたことを特徴とする、ごみ箱の蓋の枢接構造としている。
請求項１０の発明は、請求項８に記載のごみ箱の蓋の枢接構造において、内管と外管の接触面間にダンパオイルが塗布され、これにより内管と外管が相対回転関係を発生する時に停滞緩衝の機能を有することを特徴とする、ごみ箱の蓋の枢接構造としている。
請求項１１の発明は、請求項１又は請求項２に記載のごみ箱の蓋の枢接構造において、蓋片が閉合手段の枢接部に結合され、これによりスローダウン装置がしっかりと閉合手段に結合されたことを特徴とする、ごみ箱の蓋の枢接構造としている。
【０００５】
【発明の実施の形態】
本発明は一種のごみ箱の蓋の枢接構造を提供し、図２に示されるように、それは、
限位手段１０とされ、本実施例では該限位手段１０は着脱可能な方式でごみ箱本体１の開放端に結合され、該限位手段１０の中央に開孔１１が設けられ、該開孔１１の一端に結合部１２が設けられ、該結合部１２の両側壁にそれぞれ横向きに枢接孔１２１が設けられ、該結合部１２の所定の位置に縦向き係止溝１２３を具えた二つの凸塊１２２が設けられ、該開孔１１の結合部１２に対向する別端に挿入孔１３が設けられた、上記限位手段１０と、
閉合手段２０とされ、該閉合手段２０は第１端２１と第２端２２を具え、該閉合手段２０の第１端２１は上述の結合部１２に対応する設計とされ、第１端２１の両側壁の枢接柱２１１が上述の枢接孔１２１内に通され、これにより閉合手段２０が限位手段１０に結合され、且つ限位手段１０と相対枢転関係を発生できるものとされ、且つ第１端２１の底面中央に枢接部２３が設けられ、該閉合手段２０の第２端２２の底面にフック２５が設けられ、該フック２５が限位手段１０の挿入孔１３内に係合可能で、閉合手段２０が選択的に限位手段１０の開孔１１を閉合できるようにされた、上記閉合手段２０と、
スローダウン装置３０とされ、第１端と第２端を具え、内管３１、外管３２及び弾性体３３で組成され、該内管３１と外管３２の一端が封閉端とされ、並びに該封閉端の外縁にそれぞれ一つの係止突起３１１、３２１が設けられ、内管３１と外管３２の封閉端の内面にそれぞれ一つの挟持柱３１２、３２２が設けられて弾性体３３の両末端を制限し、並びに内管３１と外管３２の接触面間にダンパオイルが塗布され、内管３１と外管３２が相対回転関係を発生する時に緩衝の効果を有する、上記スローダウン装置３０と、
を具えている。
【０００６】
本実施例では限位手段１０と閉合手段２０の間に二つのスローダウン装置３０が設けられ、該スローダウン装置３０の第１端の内管３１の係止突起３１１が限位手段１０の係止溝１２３に係止され、これにより内管３１が限位手段１０と相対回転関係を発生不能とされ、該スローダウン装置３０の第２端の外管２の係止突起３２１が閉合手段２０の係止溝２３１及び蓋片２４の係止溝２４１に係止され、外管３２が閉合手段２０と相対回転関係を発生不能とされ、並びに蓋片２４が閉合手段２０の枢接部２３に結合され、これによりスローダウン装置３０がしっかりと閉合手段２０に結合される。
【０００７】
図３に示されるように、スローダウン装置３０の第１端（即ち内管３１）は限位手段１０に係止され、該スローダウン装置３０の第２端（即ち外管３２）は閉合手段２０に係止され、ゆえに閉合手段２０が外力の作用を受けて開放或いは閉合される時、該スローダウン装置３０の内管３１は原状を維持し、該外管３２が閉合手段２０に伴い内管３１と相対回転関係を発生し、且つ弾性体３３の両末端が、それぞれ内管３１の挟持柱３１２と外管３２の挟持柱３２２に制限され、ゆえに弾性体３３がねじれ変形してエネルギーを蓄積する。外力が閉合手段２０より解除される時、スローダウン装置３０が弾性体３３の蓄積したエネルギーにより閉合手段２０をもとの位置に回復させる。さらに、図４、５に示されるように、スローダウン装置３０の内管３１と外管３２が相対回転関係を発生する時、二つの管の間の接触面に塗布されたダンパオイルにより停滞緩衝効果が提供され、閉合手段２０の開放或いは閉合の動作が、減速枢転の動作を現出し、振動せず且つ低騒音の効果を達成する。
【０００８】
図６は本発明の第２実施例であり、この実施例は多くの面で上述の実施例と類似しており、ゆえに同じ構成要件には先の実施例と同じ符号を用い、改修した関係部品は別に表示した。本実施例の主要な改変部分は、限位手段１０をごみ箱本体１の開放端に一体成形し、ごみ箱本体１の開放端に同様に結合部１２と挿入孔１３が設けられ、閉合手段２０とスローダウン装置３０の設置に供され、その達成する機能は完全に上述の実施例と同じである。
【０００９】
【発明の効果】
本発明のごみ箱の蓋の枢接構造は、閉合手段の開放或いは閉合動作に減速揺動を現出させ、振動せず低騒音の効果を達成し、極めて産業上の利用性と進歩性を有する設計を有している。
【図面の簡単な説明】
【図１】本発明の立体組合せ図である。
【図２】本発明の立体分解図である。
【図３】図１の３−３の断面図である。
【図４】本発明の動作状態を示す部分断面図である。
【図５】図４のスローダウン装置の断面図である。
【図６】本発明の第２実施例の立体分解図である。
【図７】周知のごみ箱の蓋の枢接構造表示図である。
【図８】図７の部分拡大図である。
【符号の説明】
１  ごみ箱                          ２  本体
３  蓋                              ４  係止ヘッド
５  結合シート                      ６  回復ばね
１０  限位手段                      １１  開孔
１２  結合部                        １２１  枢接孔
１２２  凸塊                        １２３  係止溝
１３  挿入孔                        ２０  閉合手段
２１  第１端                        ２１１  枢接柱
２２  第２端                        ２３  枢接部
２３１  係止溝                      ２４  蓋片
２４１  係止溝                      ２５  フック
３０  スローダウン装置              ３１  内管
３１１  係止突起                    ３１２  挟持柱
３２  外管                          ３２１  係止突起
３２２  挟持柱                      ３３  弾性体
【図１】
0003682962.tif 000002
【図２】
0003682962.tif 000003
【図３】
0003682962.tif 000004
【図４】
0003682962.tif 000005
【図５】
0003682962.tif 000006
【図６】
0003682962.tif 000007
【図７】
0003682962.tif 000008
【図８】
0003682962.tif 000009